(57)【要約】      （修正有）【課題】手指に負担をかけることなく長時間の装着、使用が可能で、手相学上において好ましいとされる手相を、自己の掌に容易に現すことが可能な掌線入り手袋を提供する。【解決手段】掌線入り手袋１は、装着者の掌を覆う掌面６を備え、この掌面６には手相学上で好ましいとされる掌線を描いた。掌線は、少なくとも、掌面６の中指から小指までの下方における縦方向の線として現われた運命線３、太陽線４、及び財運線５とし、これに加えて感情線１７、頭脳線１８、及び生命線１９を併せて描くことができる。【選択図】図７
0003167221.tif 000002
【実用新案登録請求の範囲】
【請求項１】
装着者の掌を覆う掌面を備え、この掌面には手相学上で好ましいとされる掌線を描いたことを特徴とする掌線入り手袋。
【請求項２】
前記掌線は、少なくとも中指から小指までの下方における掌面の縦方向の線として現われた運命線、太陽線、及び財運線であることを特徴とする請求項１に記載の掌線入り手袋。
【請求項３】
前記掌線は、手相学上で好ましいとされる魚形マーク又は星紋であり、掌面のいずれかの箇所に現わされるものであることを特徴とする掌線入り手袋。
【請求項４】
掌部分に、少なくとも感情線、頭脳線、及び生命線を併せて描いたことを特徴とする請求項１から３のいずれかに記載の掌線入り手袋。
【請求項５】
掌線を、手袋の掌面の裏側に描いたことを特徴とする請求項１から４のいずれかに記載の掌線入り手袋。
【考案の詳細な説明】
【技術分野】
【０００１】
本考案は、手相線を表面に現した掌線入り手袋に関するものである。
【背景技術】
【０００２】
手相は、掌に刻まれた皺に現れる線や各部の肉付きの具合等を観察し、ある形質が認められれば、それがその人の性格等に関する情報を示していると解釈するものである。科学的な合理性を具えるものではないが、手相学においては、人の掌が有する様々な特徴に人の運勢が表れていると考えられている。
【０００３】
近年、この手相を用いて自らの将来等を占う手相占いが盛んである。特に、掌の皺によって形成された手相線には、その人の性格や、その人生で起こる様々な事柄の内容、その事柄が起こる時期等が表れているとされ、手相を鑑定する上で重視される。
【０００４】
手相を鑑定してもらった結果、手相が悪いと判断されると不安や喪失感に見舞われ、否定的な心理的反応を生じるようになり、自信や希望、前向きな姿勢を取ることができなくなってしまう人が少なくない。このような問題を解決するため、悪い手相を改善する手段として、従来、掌の外観を変える、もしくは掌に既存の良好な手相線を更に強調する方法が提案されている。例えば、掌に直接的に線を書き込む方法、外科的手術により皺を形成する方法、針による治療や電磁波、摩擦による治療等が提案されている。中でも外科的に掌に傷をつけたりする必要がなく、誰でも簡単に実施できる手相改善方法として、手にバンド状の用具を巻きつけて掌に皺を形成する方法が従来から存在している（例えば、特許文献１を参照）。
【先行技術文献】
【特許文献】
【０００５】
【特許文献１】特開２００４−３２１３６１号公報
【０００６】
しかしながら、上記の方法にはそれぞれ難点があり、実施することは容易とはいえない。
例えば、特許文献１に記載の用具を手に取り付ける際に、ずれることなく毎回正しい取り付け位置に、正確にこの用具を装着することは困難であり、取り付け位置がずれてしまうことにより、本来意図していた良好な手相線を形成することができないおそれがある。また、手指が一定の状態に継続して拘束されるので手指に負荷がかかり、かつ、主に就寝時や安静時など、手指を自由に使えなくとも問題のない、限られた時間帯にしか使用できない。
【考案の概要】
【考案が解決しようとする課題】
【０００７】
本考案の目的は、上記の事情に鑑みてされたものであって、手指に負担をかけることなく長時間の装着、使用が可能で、手相学上において好ましいとされる手相を、自己の掌に容易に現すことが可能な掌線入り手袋を提供することにある。
【課題を解決するための手段】
【０００８】
上記課題を解決するため、本考案に係る掌線入り手袋は次のような構成とした。すなわち、装着者の掌を覆う掌面を備え、この掌面には手相学上で好ましいとされる掌線を描いたことを特徴とする。
【０００９】
本考案に係る手袋を装着すれば、手指に掌線を描いたり、形成したりすることなく、手相学上において好ましいとされる掌線、例えば、運命線、太陽線、及び財運線、その他を容易に現すことが可能である。
【００１０】
前記掌線は、少なくとも人差指から小指までの下方における掌面の縦方向の線として現われた運命線、太陽線、及び財運線とするこが可能である。
【００１１】
また、前記掌線は、手相学上で好ましいとされる運命線、太陽線、及び財運線、魚形マーク（フィッシュ）、又は/及び、少なくとも三本の掌線が交わって形成される星紋（スター）とすることができる。
【００１２】
なお、掌線として、上記の他、代表的な掌線である感情線、頭脳線、及び生命線を併せて描いてもよい。また、手相学上において良いとされる他の線を付加することも、勿論自由である。これらの掌線は、自由にアレンジすることができ、複数の異なる掌線を描いたものを用意し、適宜、交換して装着してもよい。
【００１３】
手袋本体は、位置ずれが生じないように手にしっかり装着することが可能で、所定位置に接着部を形成することが可能であればよく、５本の手指部分を備えた一般的な形態のものの他、指先が露出するタイプや、一部の指が露出するタイプ、手の甲や掌の一部が露出するタイプ等であってもよい。また、手袋本体１は、綿、ゴム、ナイロン等、通常手袋を作成する上で用いられる素材であればどのような素材を用いることも可能である。
【００１４】
掌線は、手袋の掌の部分に印刷、縫い付け、凹凸形成加工等の手段によって設けることができ、その手段は限定されるものではない。
また、掌線を、手袋の掌面の裏側に描いてもよい。さらに、掌面を二重にして、下側の掌面に掌線を現し、これを上側の掌面で覆い、これを外部から見えないようにし、又は、見にくくするようにしてもよい。
【考案の効果】
【００１５】
本考案にかかる掌線入り手袋によれば、誰でも簡単にかつ効率的に良好な手相を掌面に現すことができる。そのため、手相に興味がある場合等、容易に、自在にこれを変革して楽しむことが可能である。
【図面の簡単な説明】
【００１６】
【図１】掌面に運命線から分岐する太陽線及び財運線を現した手袋の正面図である。
【図２】掌面にそれぞれ分離した運命線、太陽線及び財運線を現した手袋の正面図である。
【図３】掌面に魚形マークを現した掌線入り手袋の正面図である。
【図４】掌面に三本の掌線が交わって形成される星紋を現した手袋の正面図である。
【図５】掌面に結婚線を現した手袋の正面図である。
【図６】掌面に感情線、頭脳線及び生命線を現した手袋の正面図である。
【図７】掌面に各種の掌線を現した手袋の正面図である。
【考案を実施するための形態】
【００１７】
以下、図面を参照しながら本考案の好ましい実施の形態を説明する。
【００１８】
図１及び図２には、運命線、太陽線及び財運線を現した手袋が示されている。
【００１９】
図１に示すように、本考案に係る掌線入り手袋１は、手指の一本ずつを分離して覆う一般的な形態のものである。この手袋１は、通常、左右一対のものであるが、右手用又は左手用として独立して使用することもできる。
【００２０】
また、図示した一般的な形態のものの他、指先が露出するタイプや、一部の指が露出するタイプ、手の甲や掌の一部が露出するタイプ等であってもよい。また、手袋本体２は、綿、ゴム、ナイロン等、通常手袋を作成する上で用いられる素材であればどのような素材を用いることも可能である。
【００２１】
図示される手袋本体２は、掌面６における中指７から小指９にかけての下方に、縦方向に延びる運命線３から分岐する太陽線４、及び財運線５が現わされている。運命線３は、男性では主に仕事上の運勢を表し、女性は仕事や家庭運を表す線とされ、これが生じる場所や向かう方向によって様々な意味があるとされる。また、太陽線４は、主に仕事での評価・社会的成功の度合いを示すといわれる。太陽線は、深く明瞭に刻まれているのが良く、しっかりとした太陽線が一本刻まれている方がよいとされる。
財運線５は、水星丘(小指の下)１０付近に縦に刻まれる線である。金銭や財産などの金運に関係がある線とされる。
【００２２】
図１に示すように、運命線３から分岐する太陽線４、及び財運線５が一点（分岐点）に集まったものは、最高の吉相といわれる。したがって、図１に示す手袋は、このような状態の運命線３、太陽線４及び財運線５を現したものである。
【００２３】
また、図２に示す手袋１では、それぞれ分離した運命線３、太陽線４及び財運線５が現されている。これは運命線３、太陽線４及び財運線５がほぼ平行に位置しているものであるが、図１に示すものと同様に吉相といわれ、このような状態の運命線３、太陽線４及び財運線５を現したものである。
【００２４】
図３に示す手袋１は、掌面６に魚形マーク１１を現したものである。この魚形マーク（フィッシュ）１１は、他の掌線上や丘上等、掌面６の様々な場所に現われる魚の形をした線であり、またとない幸運を表すものとされる。手相学では、それぞれの指の付け根の盛り上がった部分を、丘（きゅう）と称し、それぞれ木星丘、土星丘、太陽丘、水星丘等の名称が付されている。木星丘１２は、人差指１３の付け根に位置するふくらみ部分を指すが、図３に示す手袋は、このような魚形マーク１１を、この木星丘１２に現しているものである。
【００２５】
図４に示す手袋１は、掌面６に三本の掌線が交わって形成される星紋１４が現されている。この星紋１４は、掌面６に現われるラッキーサインの一つであるとされている。この理由から、図４に示す手袋１は、このような星紋１４を太陽丘１５に現わしたものである。太陽丘１５は、薬指８の付け根に位置するふくらみ部分を指す。
【００２６】
図５に示す手袋１は、掌面６に結婚線１６が現されている。この結婚線１６は、結婚・恋愛を表す線であり、結婚線１６は小指９の付け根部分にあり、感情線の上の短い線である。結婚線１６を見ると結婚に関することがわかるとされている。結婚線が1本で長い場合、相性の良い相手に恵まれ、また本人自体の結婚や恋愛をする取り組み方にも問題が無い状態だとされる。したがって、本考案の手袋１では、このような理想的な結婚線１６を現わしている。
【００２７】
図６は、掌面６に、手相三大線といわれる感情線１７、頭脳線１８及び生命線１９を現した手袋１の正面図である。感情線１７は、小指９側から人差指１３や中指７の方向に伸びる線であり、主に、愛情・性格・感性・対人関係などに関係のあるものとされる。この感情線１７は、性格や感情の傾向を表す線であり、例えば、感情線１７から生じる上向きの支線は明るい性格を表すとされ、
頭脳線１８は、人差指１３と親指２０の間の中央部から掌面６の真ん中を横に走る線である。その人の才能・考え方・行動力などに関係があるとされる。例えば、末端が上に向くほど現実的性質の持ち主であることを表すとされる。 
【００２８】
生命線１９は、人差指１３と親指２０の間の中央部から大きくカーブを描いて手首方面へ流れる線であり、主に、その人の生命力や健康状態などに関係があるとされる。この線の長短、線の濃薄によって、その人の持つ生命力の強弱を推測することができるとされる。
これらの感情線１７、頭脳線１８及び生命線１９は、最も良いとされる状態に現されるが、上記の図１から図５までに示す運命線３、太陽線４及び財運線５、または、魚形マーク１１、星紋１４、結婚線１６等と組み合わせて、掌面６に現すことができる。
【００２９】
図７に示すものは、図１から図６に示す運命線３、太陽線４及び財運線５、または、魚形マーク１１、星紋１４、結婚線１６に加え、手相三大線といわれる感情線１７、頭脳線１８及び生命線１９を、手相学上において良いとされる状態で現わしたものである。
なお、本考案の手袋に現される手相を示す掌線は、上記のものに限られず、様々なもの現し、これらを自由に組み合わせることができる。
【００３０】
上述した実施形態に係る手袋１は、通常の手袋と同様にして手指に装着すればよく、誰でも簡単にかつ効率的に、良好な手相を掌面に現わすことができる。
上記の運命線３等の各種の掌線が、手袋１の掌面６に現わされていることが外部から見えないようにするため、これらの掌線を掌面６の裏側に現してもよい。
また、掌面を二重にして、表面に位置する掌面に覆われる下側の掌面に掌線を現すようにしてもよい。
【符号の説明】
【００３１】
１    手袋
２    手袋本体
３    運命線
４    太陽線
５    財運線
６    掌面
７    中指
８    薬指
９    小指
１０    水星丘
１１    魚形マーク（フィッシュ）
１２    木星丘
１３    人差指
１４    星紋
１５    太陽丘
１６    結婚線
１７    感情線
１８    頭脳線
１９    生命線
２０    親指
【図１】
0003167221.tif 000003
【図２】
0003167221.tif 000004
【図３】
0003167221.tif 000005
【図４】
0003167221.tif 000006
【図５】
0003167221.tif 000007
【図６】
0003167221.tif 000008
【図７】
0003167221.tif 000009
【手続補正書】
【提出日】平成23年2月3日(2011.2.3)
【手続補正１】
【補正対象書類名】実用新案登録請求の範囲
【補正対象項目名】全文
【補正方法】変更
【補正の内容】
【実用新案登録請求の範囲】
【請求項１】
装着者の掌を覆う掌面を備え、この掌面には手相学上で好ましいとされる掌線を描いたことを特徴とする掌線入り手袋。
【請求項２】
前記掌線は、少なくとも中指から小指までの下方における掌面の縦方向の線として現われた運命線、太陽線、及び財運線であることを特徴とする請求項１に記載の掌線入り手袋。
【請求項３】
前記掌線は、手相学上で好ましいとされる魚形マーク又は星紋であり、掌面のいずれかの箇所に現わされるものであることを特徴とする請求項１又は２に記載の掌線入り手袋。
【請求項４】
掌部分に、少なくとも感情線、頭脳線、及び生命線を併せて描いたことを特徴とする請求項１から３のいずれかに記載の掌線入り手袋。
【請求項５】
掌線を、手袋の掌面の裏側に描いたことを特徴とする請求項１から４のいずれかに記載の掌線入り手袋。